(57)【特許請求の範囲】
【請求項１】
包装フィルムを重ね合わせて縦、横シールすることで内容物を封止する包装袋連続体の、前記縦シールによって形成された縦シール部を切断する切断装置において、
一対の刃体と、前記刃体によって前記縦シール部を押し圧する押圧手段とを備える切断手段と、
前記切断手段によって前記縦シール部が切断されたか否かを検出可能な検出手段と、
前記縦シール部の切断圧力を調整する調整手段と、
前記検出手段からの検出信号に基づいて、前記調整手段を制御可能な制御手段と、
を備えたことを特徴とする縦シール部の切断装置。
【請求項２】
前記包装袋連続体は、前記縦シール部を介して複数列同時に形成されてなることを特徴とする、請求項１に記載の縦シール部の切断装置。
【請求項３】
前記制御手段は、前記検出手段からの検出信号に基づいて、作業者への報知もしくは装置の停止を行うことを特徴とする、請求項１または２に記載の縦シール部の切断装置。
【発明の詳細な説明】
【０００１】
【発明の属する技術分野】
本発明は、例えば、帯状包装材により連続的に形成される複数個の包装袋の縦シール部を切断し得る切断装置に関するものである。
【０００２】
【従来の技術】
長尺状の包装フィルム一枚を二つ折りにして重ね合せるか、または二枚を重ね合せ、その重なり合った両側縁部を縦シールして縦シール部を形成するとともに、重ね合せた包装フィルムの先端部を横シールして底部となる横シール部を形成し、移送方向に向って前記横シール部の後方の開放筒状部に内容物を所定量充填した後、前記横シール部より一定間隔後方に再び横シールして横シール部を形成することにより、密閉包装袋を連続的に製造する充填包装機としては、例えば、特開平８−４８３０１号公報に開示されたものが知られており、これによると、縦シール部を介して複数列同時に充填包装し、縦シール部を一対の刃体によって挟み込むように切断するスリット機構からなる切断装置を備えることによって、各列を切り離しできる。
【０００３】
【発明が解決しようとする課題】
ところで、前記スリット機構に使用される刃体は、摩耗による切断不良が起り得るため、刃体を挟み込む押圧力の調整や刃体の研磨，交換等のメンテナンスが必要であった。
【０００４】
また、刃体の摩耗具合は、切断の対象となる包装フィルムの材質や厚み、刃体の材質や形状、刃体を挟み込む押圧力などにより異なるため、刃体のメンテナンス時期を把握することは困難なものであった。また、刃体の押圧力調整は、手動によるエアー圧調整やバネ圧調整等の手段によるものであるため、作業者の経験や勘に頼るものであった。
【０００５】
そこで、本発明は上述した問題点に鑑みてなされたものであり、例えば、充填包装機に適用することが可能で、切断不良を容易に検知でき、メンテナンスが容易な縦シール部の切断装置を提供することを目的としている。
【０００６】
【課題を解決するための手段】
請求項１に記載のように、本発明の縦シール部の切断装置は、包装フィルムを重ね合わせて縦、横シールすることで内容物を封止する包装袋連続体の、前記縦シールによって形成された縦シール部を切断する切断装置において、一対の刃体と、前記刃体によって前記縦シール部を押し圧する押圧手段とを備える切断手段と、前記切断手段によって前記縦シール部が切断されたか否かを検出可能な検出手段と、前記縦シール部の切断圧力を調整する調整手段と、前記検出手段からの検出信号に基づいて、前記調整手段を制御可能な制御手段と、を備えたことを特徴とする。
【０００７】
また、請求項２に記載のように、請求項１に記載した縦シール部の切断装置において、前記包装袋連続体は、縦シール部を介して複数列同時に形成されてなることを特徴とする。
【００１１】
また、請求項３に記載のように、請求項１または２に記載した縦シール部の切断装置において、前記制御手段は、前記検出手段からの検出信号に基づいて、作業者への報知もしくは装置を停止することを特徴とする。
【００１２】
【発明の実施の形態】
以下、本発明の実施形態として充填包装機に適用したものを挙げ、添付図面を参照して説明する。本発明に係る充填包装機の概略構成とその動作については、図１から図４を参照して述べる。
【００１３】
同図において、充填包装機の全体構造を説明すると、充填包装機は、保持枠１が設けられ、この保持枠１に、包装フィルム２をロール上に巻回したフィルム巻反１１が着脱交換可能に設けられている。また、充填包装機には、内容物Ｗを密閉包装するために、フィルム案内機構３及びフィルム折返し機構４を配設し、縦シール機構５、横シール機構６及び充填機構７が備えられ、次いで包装袋を切断加工するために、トリミング機構８、スリット機構（切断手段）９及び切断機構１０が備えられている。
【００１４】
包装フィルム２は、前記ロール状フィルム巻反１１から包装フィルム２の繰り出し機構となる縦シール機構５により引き出され、フィルム案内機構３を介してフィルム折返し機構４に導出され、フィルム折返し機構４に設けられた折返しガイドにより包装フィルム２を長手方向に沿って二つ折りにされる。
【００１５】
縦シール機構５は、回転可能に設けられ対向する一対の縦ヒートシールロール５ａによって、二つ折りにされた包装フィルム２の折返し縁部と中間部と折返し端部同士（左右両縁部と中間部）とを各々、繰り出しながら縦方向にヒートシールして縦シール部Ｓ１を形成するものである。
【００１６】
横シール機構６は、回転可能に設けられ対向する一対の横ヒートシールロール６ａによって、包装フィルム２を横方向にヒートシールして、包装袋Ｐとなる底部、即ち横シール部Ｓ２を形成するものである。
【００１７】
充填機構７は、縦シール部Ｓ１及び横シール部Ｓ２によって、２つ連続する有底筒状に形成された包装フィルム２内に、例えばソースや醤油等の液体からなる内容物Ｗを充填するものである。また、この内容物Ｗを含む包装フィルム２の袋口部は、更に送られて再び横シール機構６によって横方向にヒートシールされることにより封止される。
【００１８】
トリミング機構８は、回転可能に設けられ対向する一対のトリミング刃８ａによって、縦，横シール機構５，６及び充填機構７によって連続的に充填包装された包装フィルム２の折り返し両端縁部分を体裁良くするために切断加工するものである。
【００１９】
スリット機構９は、後述する刃体によって、包装フィルム２に３カ所形成された縦シール部Ｓ１の内、中間部に形成された縦シール部Ｓ１の略中央部を切断するものである。これにより、２列に連包形成された包装袋Ｐの連続体をそれぞれに分けることができる。
【００２０】
切断機構１０は、図示しない刃体によって、上下方向に連包状態の包装フィルム２の横シール部Ｓ２の箇所の略中央部を切り離し切断し、包装袋Ｐをそれぞれ１つずつに切り離すものである。
【００２１】
また、スリット機構９と切断機構１０の間には、スリット機構９によって包装フィルム２が切断されたか否かを検出する検出手段Ｋが設けられる。
【００２２】
次に、本発明の主要部となるスリット機構９について、図２を用いて詳述すると、スリット機構９は、平刃体９１、切断刃体９２、押圧手段９３、から主に構成される。
【００２３】
平刃体９１は、円板状に形成され、縦シール部Ｓ１の対応位置にて回転可能に設けられるものである。また平刃体９１は、固定部９１ａによって固定される軸９１ｂによって軸支されるものである。
【００２４】
切断刃体９２は、軸９２ａによって軸支されながら回転可能な円板状であり、その円周となる刃先は鋭角に形成され、平刃体９１と対向して包装フィルム２の縦シール部Ｓ１の略中央部を挟み込むように設けられている。また、軸９２ａは、ベアリングを有するガイド部９２ｂによってシャフト９４に沿って移動可能に保持される。
【００２５】
押圧手段９３は、シリンダからなり、後述する電空レギュレータからの所定の空気圧によってガイド部９２ｂを押し圧することにより、このガイド部９２ｂ間に保持される軸９２ａの略中央部に設けられる切断刃体９２を、平刃体９１側へ押し圧できるように構成している。
【００２６】
次に、本発明の主要部であるスリット機構９における電気的構成について説明する。
【００２７】
図３において、Ｋは、スリット機構９の下方側に設けられ、包装フイルム２の切断状態を検出するためのリミットスイッチ等からなる検出手段であり、例えば包装フイルム２が切断されていない場合に、包装フィルム２をスリット機構９によって切断されるスリット部から貫通するアーム部Ｋ１を介して検出手段Ｋがオンされる構成である。９５は、押圧手段９３に付与される空気圧を監視する圧力スイッチであり、押圧手段９３へエアー配管を介して付与される圧力ａの最大値を監視し、圧力ａが任意に設定された圧力値に達した場合に、後述する制御手段へ異常であることを知らせる異常信号を出力する。９６は、後述する制御手段の制御の基に空気圧を調整する電空レギュレータ（調整手段）であり、前記制御手段から出力される空気圧調整信号を入力すると、前記空気圧調整信号に応じた所定の空気圧が得られる。９７は、検出手段Ｋ及び圧力スイッチ６を入力手段とし、また電空レギュレータ９６を出力手段としてそれぞれ接続するとともに、後述する処理動作のプログラムが記憶されたＲＯＭやデータを一時的に記憶するＲＡＭ，前記プログラムを実行するためのＣＰＵ等を有する制御手段であり、マイクロコンピュータやシーケンサ等からなるものである。尚、制御手段９７は、充填包装機を電気制御する制御手段と兼用することも可能である。
【００２８】
次に、図４を用いて、制御手段９７におけるスリット機構９の制御方法を説明する。
【００２９】
制御手段９７は、検出手段Ｋからの入力の有無を確認し、検出手段Ｋからの入力が有ると、包装フィルム２の切断がなされていないと判断する（ステップＳＳ１）。
【００３０】
次に制御手段９７は、検出手段Ｋの入力が有ると判断すると、圧力スイッチ９５からの異常信号の入力の有無を確認する（ステップＳＳ２）。制御手段９７は、圧力スイッチ９５からの異常信号の入力が無いと判断すると、スリット機構９における切断調整許容範囲であるとし、現在の空圧値に補正値となる所定の空圧値を加算してスリット機構９における切断刃体９２の平刃体９１側への加圧値を設定するとともに、前記加圧値に応じた空圧調整信号を電空レギュレータ９６に出力する（ステップＳＳ３）。尚、前記補正値は、平刃体９１と切断刃９２との形状や材質、あるいは包装フィルム２の材質や厚さ等によって決定される。
【００３１】
尚、前述した処理は、ステップＳＳ２による異常信号が入力されるまで繰り返し実行される。また、制御手段９７は、ステップＳＳ１において検出手段Ｋからの入力が無いと判断すると、現状の加圧値を維持する。
【００３２】
制御手段９７は、ステップＳＳ２において、圧力スイッチ９５からの異常信号を入力すると、スリット機構９における切断調整許容範囲外であるとし、充填包装機を停止させるべく処理を実行させ、図示しないスピーカやランプ等の報知部によって作業者に報知する（ステップＳＳ４）。
【００３３】
制御手段９７は、圧力スイッチ９５からの異常信号の入力を確認し、異常信号の入力が無い場合には、スリット機構９による切断刃体９２の交換や研磨等のメンテナンスが施され、適正なる切断調整許容範囲にスリット機構９があるとし、再び検出手段Ｋの入力確認を行う（ステップＳＳ１）。
【００３４】
かかるスリット機構９の制御方法によると、包装フィルム２を重ね合わせて縦、横シールすることで内容物Ｗを封止する包装袋連続体と、前記縦シールによって形成された縦シール部Ｓ１を切断するスリット機構９と、スリット機構９によって縦シール部Ｓ１が切断されたか否かを検出可能な検出手段Ｋと、を備えることによって、作業者が常に製品となる包装袋Ｐを検査しなくても、容易にして切断不良を検知することができる。
【００３５】
また、包装袋連続体は、縦シール部を介して複数列同時に形成されてなるため包装袋Ｐが２つずつ生産されるため生産性の高い装置となる。
【００３６】
スリット機構９は、一対の刃体９１，９２からなり、縦シール部Ｓ１を押し圧する押圧手段９３を備えてなることにより、構成が簡単で且つ容易に刃体９１，９２によって縦シール部Ｓ１を挟み込むことができる。
【００３７】
また、縦シール部Ｓ１の切断圧力を調整する電空レギュレータ９６を備えてなることによって、容易に刃体９１，９２の縦シール部Ｓ１を挟み込む圧力を高めることができる。
【００３８】
また、検出手段Ｋからの検出信号に基づいて、電空レギュレータを制御可能な制御手段９７を備えてなることによって、作業者が不良品を検知しなくとも、自動的に良品を生産するための押圧調整を行うことができ、作業者の作業を軽減することができる。
【００３９】
また、圧力スイッチ９５を設けることによって、刃体９１，９２の挟み込む圧力の最大値を監視でき、押圧手段９３における許容範囲以上の圧力によるスリット機構９の破損を防ぐことができる。
【００４０】
また、ステップＳＳ４のように、制御手段９７が、検出手段Ｋからの検出信号に基づいて、作業者への報知もしくは装置を停止することによって、余計な不良品の生産を抑えるとともに、迅速にして作業者による刃体のメンテナンス、または充填包装機の運転開始を促すことができる。
【００４１】
尚、本実施形態では、スリット機構９における、刃体９１，９２の縦シール部Ｓ１を挟み込む圧力を制御するものを挙げて説明したが、本発明はこれに限定されるものではなく、例えば、トリミング機構８におけるトリミング刃体８ａを、上述したスリット機構９と同様な構成にすることにより押し圧調整可能に設けるものであっても良く、上述した実施形態と同様の効果が得られる。
【００４２】
また、本発明は、従来例で示した特開平８−４８３０１号公報で開示されている充填包装装置における切断手段としても適用でき、上述した実施形態と同様な効果が得られる。
【００４３】
また、本実施形態では、スリット機構９による包装フィルム２の切断が成されたか否かをアーム部Ｋ１を介して検出するものを挙げたが、本発明はこれに限定されるものではなく、例えば、スリット部を透過型センサによって監視するものであっても良く、上述した実施形態と同様の効果が得られる。
【００４４】
【発明の効果】
本発明による縦シール部の切断装置は、包装フィルムを重ね合わせて縦，横シールすることで内容物を封止する包装袋連続体と、前記縦シールによって形成された縦シール部を切断する切断手段と、前記切断手段によって縦シール部が切断されたか否かを検出可能な検出手段と、を備えたことによって、切断不良を容易に検知でき、メンテナンスが容易な縦シール部の切断装置を提供することができる。
【図面の簡単な説明】
【図１】  本発明の実施形態の全体平面図。
【図２】  図１の要部平面図。
【図３】  本発明の実施形態による制御手段の電気的構成を示すブロック図。
【図４】  本発明の実施形態による制御手段の処理方法を示す流れ図。
【符号の説明】
２    包装フィルム
９    スリット機構（切断手段）
９３  押圧手段
９６  電空レギュレータ（調整手段）
９７  制御手段
Ｋ    検出手段
Ｐ    包装袋
Ｓ１  縦シール部
Ｗ    内容物
【図１】
0004672830.tif 000002
【図２】
0004672830.tif 000003
【図３】
0004672830.tif 000004
【図４】
0004672830.tif 000005